(57)【要約】【課題】  より汎用性の高い手書き情報共有システムを提供すること。【解決手段】  本発明における情報共有システムは、ペンと、ペンと通信可能に接続された端末と、端末と通信可能に接続されたサーバとを備えた手書き情報共有システムであって、ペンは、用紙に筆記した手書き情報を取得し、手書き情報を端末に対して送信する手段を備え、端末は、ペンから送信された手書き情報を受信する手段と、受信した手書き情報をサーバに対して送信する手段を備え、サーバは、端末より送信された手書き情報を受信する手段と、受信した手書き情報をウェブデータに変換する手段と、ウェブデータをネットワークを介して接続された端末に配信する手段とを備えた情報共有システムである。このような構成により、手書き入力された情報を配信可能なデータ形式としてサーバに格納し、サーバから情報を配信することが可能となる。【選択図】図１
2006260426.tif 000002
【特許請求の範囲】
【請求項１】
ペンと、前記ペンと通信可能に接続された端末と、前記端末と通信可能に接続されたサーバとを備えた手書き情報共有システムであって、
前記ペンは、用紙に筆記した手書き情報を取得し、手書き情報を前記端末に対して送信する手段を備え、
前記端末は、前記ペンから送信された手書き情報を受信する手段と、受信した前記手書き情報を前記サーバに対して送信する手段を備え、
前記サーバは、前記端末より送信された手書き情報を受信する手段と、受信した手書き情報をウェブデータに変換する手段と、前記ウェブデータをネットワークを介して接続された端末に配信する手段とを備えた情報共有システム。
【請求項２】
前記ペンは当該ペン固有の識別情報を有し、手書き情報を前記識別情報と関連付けて送信する手段を備え、
前記端末は、前記ペンから前記識別情報と関連付けられた前記手書き情報を受信する手段と、受信した前記手書き情報を前記識別情報と関連付けて前記サーバに対して送信する手段を備え、
前記サーバは、前記識別情報と関連付けられた前記手書き情報を受信する手段と、ペンの識別情報を予め登録し格納する記憶手段と、受信した前記手書き情報と関連付けられた前記識別情報が前記記憶手段に格納されたペンの識別情報が一致するかを判定する手段と、判定の結果、両者が一致した場合のみ受信した前記手書き情報をウェブデータに変換する手段を備えることを特徴とする請求項１記載の情報共有システム。
【請求項３】
前記サーバは、
受信した手書き情報を画像情報に変換する手段と、
変換した画像情報を含むウェブデータを生成する手段と、
生成したウェブデータをインターネット経由で接続された端末に配信する手段を備えることを特徴とする請求項１または２記載の情報共有システム。
【請求項４】
前記サーバは、手書き情報分析サーバとアプリケーションサーバとウェブサーバを備え、
前記手書き情報分析サーバは、受信した手書き情報に基づいて手書き情報の処理を行うアプリケーションを決定する手段を有し、
前記アプリケーションサーバは、前記手書き情報分析サーバの決定したアプリケーションにより手書き情報をウェブデータに変換する手段を有し、
前記ウェブサーバは、前記アプリケーションサーバの変換したウェブデータを、ネットワークを介して接続された端末に配信する手段を有することを特徴とする請求項１、２または３記載の情報共有システム。
【請求項５】
前記アプリケーションサーバは、ウェブデータへの変換の完了に応じて、前記ペンに対して登録完了を通知する信号を送信する手段を有し、
前記ペンは、前記アプリケーションサーバから前記信号を受信する手段と、前記信号の受信に応じて当該ペンの使用者に登録完了を通知する通知手段を有することを特徴とする請求項４記載の情報共有システム。
【請求項６】
前記通知手段は、前記ペンを振動させることによる通知手段であることを特徴とする請求項５記載の情報共有システム。
【請求項７】
前記アプリケーションサーバは、予めメールアドレスを登録し格納するアドレス記憶手段と、ウェブデータへの変換の完了に応じて、前記アドレス記憶手段に格納されたメールアドレスに対してメールを送信する手段を有することを特徴とする請求項４、５または６記載の情報共有システム。
【請求項８】
前記メールを送信する手段は、更に、予め定められた時刻に前記アドレス記憶手段に格納されたメールアドレスに対してメールを送信する手段を有することを特徴とする請求項７記載の情報共有システム。
【請求項９】
前記アプリケーションサーバは、手書き情報を予め定められた領域毎に分割してウェブデータに変換し、
前記ウェブサーバは、前記アプリケーションサーバの変換したウェブデータを、分割された領域のうち任意の領域についてのウェブデータのみを配信可能であることを特徴とする請求項４乃至８いずれかに記載の情報共有システム。
【請求項１０】
前記手書き情報は、入力者のスケジュールに関する情報であり、
前記領域は日付毎に分割されることを特徴とする請求項９記載の情報共有システム。
【発明の詳細な説明】
【技術分野】
【０００１】
本発明は、手書き情報共有システムに関するものであり、より詳細には、ネットワークを利用した手書き情報共有システムに関する。
【背景技術】
【０００２】
多人数で情報を共有する方法は、従来から多くの方法が考えられ、実行されてきた。古くは、掲示板や回覧板などであり、これらの方法は電子機器が使われる前から行われていた。
【０００３】
電子機器を利用する技術が発達すると、情報の共有がより容易になるようになった。例えば、複写機を利用することにより、紙に書かれている情報を誤りなく多くの人に開示することが可能になった。
【０００４】
さらには、情報自体が紙ではなく電子データで扱われるようになり、文章も紙に印刷されたものだけでなく、キーボードにより入力されたものをコンピュータに接続されたディスプレイ上で閲覧することが可能となった。このような文章は電子データで記録されているため、複製や公開が容易であり、情報の共有が更に容易に行われるようになった。
【０００５】
このように、キーボードを利用して文章を入力するようになり、筆記用具を利用して手書きで文章を書くよりも利用者が慣れれば効率よく文章を入力できるようになり、より多くの情報を提供することができるようになった。
【０００６】
しかしながら、キーボード入力に慣れることのできない利用者も少なからず存在する。また、キーボードによる文章の入力は、入力者に関係なく入力された文章は文字情報のみで構成されており、文字の形状など入力者の個性が手書き入力のように反映されることはない。そのため、近年、手書き入力が再度注目されるようになった。
【０００７】
手書き入力による情報の電子化には、紙に書いた手書き情報をスキャナーやデジタルカメラなどを用いて電子データに変換するという方法がある。しかし、この方法では、一度書いた手書き情報を再度スキャナーやデジタルカメラなどの電子機器を用いて電子データに変換しなければならず、多くの電子機器が必要となり、操作も煩雑になってしまうという問題点があった。
【０００８】
そこで、手書き入力した情報がそのまま電子データとして格納されるデジタルペンが提案されるようになった。デジタルペンは、手書きにより入力された情報をデジタルデータとして格納し、格納した手書き情報を接続されたコンピュータに転送する機能を備える。このようにすることにより、手書きにより入力された情報を変換する手間をかけることなくそのまま電子データとして利用することが可能となる。
【０００９】
このようなデジタルペンを用いた情報共有の方法が提案されるようになった。例えば、特許文献１ではデジタルペンで入力したカルテを管理装置の備えるデータベースに登録し、管理装置とネットワークで接続された各端末から閲覧することによりデジタルペンで手書き入力したカルテの情報を共有する方法が提案されている。
【００１０】
しかしながら、特許文献１に示す方法は、病院でのカルテの情報の共有に特化されており、それ以外の情報の共有はできないものであった。
【特許文献１】特開２００４−５４３７５号公報
【発明の開示】
【発明が解決しようとする課題】
【００１１】
このように従来の情報共有システムは、カルテの情報の共有など特定の情報の共有しか行えないという問題点があった。
【００１２】
本発明は、このような問題点を解決するためになされたものであり、より汎用性の高い手書き情報共有システムを提供することを目的とする。
【課題を解決するための手段】
【００１３】
本発明における情報共有システムは、ペンと、前記ペンと通信可能に接続された端末と、前記端末と通信可能に接続されたサーバとを備えた手書き情報共有システムであって、前記ペンは、用紙に筆記した手書き情報を取得し、手書き情報を前記端末に対して送信する手段を備え、前記端末は、前記ペンから送信された手書き情報を受信する手段と、受信した前記手書き情報を前記サーバに対して送信する手段を備え、前記サーバは、前記端末より送信された手書き情報を受信する手段と、受信した手書き情報をウェブデータに変換する手段と、前記ウェブデータをネットワークを介して接続された端末に配信する手段とを備えた情報共有システムである。このような構成により、手書き入力された情報を配信可能なデータ形式としてサーバに格納し、サーバから情報を配信することが可能となる。
【００１４】
前記ペンは当該ペン固有の識別情報を有し、手書き情報を前記識別情報と関連付けて送信する手段を備え、前記端末は、前記ペンから前記識別情報と関連付けられた前記手書き情報を受信する手段と、受信した前記手書き情報を前記識別情報と関連付けて前記サーバに対して送信する手段を備え、前記サーバは、前記識別情報と関連付けられた前記手書き情報を受信する手段と、ペンの識別情報を予め登録し格納する記憶手段と、受信した前記手書き情報と関連付けられた前記識別情報が前記記憶手段に格納されたペンの識別情報が一致するかを判定する手段と、判定の結果、両者が一致した場合のみ受信した前記手書き情報をウェブデータに変換する手段を備えることを特徴としてもよい。このようにすることにより、悪意ある第三者が手書き情報を不正に取得することを防止することが可能となる。
【００１５】
前記サーバは、受信した手書き情報を画像情報に変換する手段と、変換した画像情報を含むウェブデータを生成する手段と、生成したウェブデータをインターネット経由で接続された端末に配信する手段を備えることを特徴としてもよい。このようにすることにより、通常ＰＣが備えているウェブブラウザをそのまま利用して手書き情報を共有することが可能となる。
【００１６】
前記サーバは、手書き情報分析サーバとアプリケーションサーバとウェブサーバを備え、前記手書き情報分析サーバは、受信した手書き情報に基づいて手書き情報の処理を行うアプリケーションを決定する手段を有し、前記アプリケーションサーバは、前記手書き情報分析サーバの決定したアプリケーションにより手書き情報をウェブデータに変換する手段を有し、前記ウェブサーバは、前記アプリケーションサーバの変換したウェブデータを、ネットワークを介して接続された端末に配信する手段を有することを特徴としてもよい。このようにすることにより、各サーバに処理の負担が分散され、効率よく手書き情報を共有することが可能となる。
【００１７】
前記アプリケーションサーバは、ウェブデータへの変換の完了に応じて、前記ペンに対して登録完了を通知する信号を送信する手段を有し、前記ペンは、前記アプリケーションサーバから前記信号を受信する手段と、前記信号の受信に応じて当該ペンの使用者に登録完了を通知する通知手段を有することを特徴としてもよい。このようにすることにより、手書き入力を行った者に確実に登録完了を伝えることが可能となる。
【００１８】
前記通知手段は、前記ペンを振動させる通知手段であることを特徴としてもよい。
【００１９】
前記アプリケーションサーバは、予めメールアドレスを登録し格納するアドレス記憶手段と、ウェブデータへの変換の完了に応じて、前記アドレス記憶手段に格納されたメールアドレスに対してメールを送信する手段を有することを特徴としてもよい。
【００２０】
前記メールを送信する手段は、更に、予め定められた時刻に前記アドレス記憶手段に格納されたメールアドレスに対してメールを送信する手段を有することを特徴としてもよい。このようにすることにより、定期的に通知が行われ情報が確認されない状態を回避することが可能となる。
【００２１】
前記アプリケーションサーバは、手書き情報を予め定められた領域毎に分割してウェブデータに変換し、前記ウェブサーバは、前記アプリケーションサーバの変換したウェブデータを、分割された領域のうち任意の領域についてのウェブデータのみを配信可能であることを特徴としてもよい。このようにすることにより、部分的に情報が必要な場合に効率よく情報を取得することが可能となる。
【００２２】
前記手書き情報は、入力者のスケジュールに関する情報であり、前記領域は日付毎に分割されることを特徴としてもよい。
【発明の効果】
【００２３】
本発明によれば、より汎用性の高い手書き情報共有システムを提供することが可能となる。
【発明を実施するための最良の形態】
【００２４】
発明の実施の形態１．
まず、図１に示す模式図を用いて本発明の実施の形態１における手書き情報共有システムの全体構成について説明する。本発明における手書き情報共有システムは、デジタルペン１１、携帯電話機１３、アノト用紙１５、ＰＣ（Personal Computer）１７、ＰＬＳ（Paper Lookup Service）サーバ２０、ＡＳＨ（Application Service Handler）サーバ２２、ウェブサーバ２４を備える。携帯電話機１３、ＰＣ１７、ＰＬＳサーバ２０、ＡＳＨサーバ２２、ウェブサーバ２４はそれぞれインターネット１０を介して接続されている。
【００２５】
デジタルペン１１は、ユーザーが手書き入力により情報を入力するための入力手段である。デジタルペン１１は、携帯電話機１３と無線通信などにより通信可能であり、入力された手書き情報を携帯電話機１３に送信する。また、デジタルペン１１は、個別の識別情報を格納しており、格納した個別の識別情報を手書き情報と互いに関連付けて携帯電話機１３に送信する。
【００２６】
携帯電話機１３は、デジタルペン１１から手書き情報を受信し、インターネット１０を介してＰＬＳサーバ２０、ＡＳＨサーバ２２、ウェブサーバ２４に対して受信した手書き情報を送信する。ここでは携帯電話機としたが、通信機能を備えたＰＤＡ（Personal Digital Assistant）などの携帯端末でもよいし、ＰＣでもよい。
【００２７】
アノト用紙１５は、デジタルペン１１により手書き情報を入力するための専用の用紙である。ここでの実施例ではアノト方式により手書き情報を記録するため、専用の用紙が必要である。アノト方式については後に説明する。
【００２８】
ＰＣ１７は、デジタルペン１１により入力された手書き情報を閲覧するためのコンピュータであり、市販のＰＣをそのまま利用することが可能である。ＰＣ１７はインターネット１０を介してＰＬＳサーバ２０、ＡＳＨサーバ２２、ウェブサーバ２４と接続可能である。
【００２９】
ＰＬＳサーバ２０は、携帯電話機１３から入力した手書き情報に基づいて手書き情報の処理を行うアプリケーションの選択を行う手書き情報分析サーバである。選択されたアプリケーションはＡＳＨサーバ２２に格納されている。
【００３０】
ＡＳＨサーバ２２は、携帯電話機１３から入力した手書き情報の処理を行うアプリケーションサーバである。手書き情報の処理はＡＳＨサーバ２２に格納されているアプリケーションにより行う。ここで行われる手書き情報の処理は、画像データの変換、閲覧用データの生成などである。
【００３１】
ウェブサーバ２４は、インターネット１０を介して接続されたＰＣなどに閲覧用データの配信を行う。ここでの閲覧用データはＨＴＭＬ（Hyper Text Markup Language）等のウェブデータを用いて、ＰＣにより表示が可能なデータ形式で配信が行われる。ここでのウェブデータは、ＨＴＭＬに限らず、ＸＭＬ（eXtensible Mark-up Language）等のウェブサーバのアクセスに応じてアクセスしたＰＣから閲覧可能なファイル形式であればよい。
【００３２】
続いて、手書き入力の方法についてより詳細に説明する。本実施例では、アノト方式により手書き入力が行われる。図２は、本発明におけるデジタルペン１１の構造の概略を示す概略図である。デジタルペン１１は、インクリフィル１１１、圧力センサ１１３、光学モジュール１１５、カメラ１１７、光照射装置１１９、バッテリ１２１、ＣＰＵ１２３、メモリ１２５、情報処理モジュール１２７、クロック１２９、ＵＳＢ（Universal Serial Bus）１３１、無線通信システム１３３、振動子１３５、ＬＥＤ（Light Emitting Diode）１３７を備える。
【００３３】
インクリフィル１１１は、通常の筆記用ペンと同様に、紙にインクを転写することにより筆記結果を記録するインクを保存するものである。圧力センサ１１３は、ユーザーがデジタルペン１１により手書き入力を行っていることを検知する手段であり、手書き入力中は圧力センサが圧力を検知する。
【００３４】
光学モジュール１１５は、光照射装置１１９からの光をカメラ１１７により受光した光学的手段により検出する。カメラ１１７は、光照射装置１１９から照射され、アノト用紙１５により反射した光を受光するための受光装置である。光照射装置１１９は、カメラ１１７により受光するための光を照射する装置である。ここでの光は赤外線を利用するが、カメラ１１７により受光し、光学モジュール１１５により検出可能であれば、赤外線に限らず別の波長の光でもよい。
【００３５】
バッテリ１２１は、デジタルペン１１の各部に電力を供給するための電力供給手段である。ＣＰＵ１２３は、デジタルペン１１を制御するための制御手段である。メモリ１２５は、デジタルペン１１内のデータを記憶するための記憶手段である。情報処理モジュール１２７は、ＣＰＵ１２３とメモリ１２５を合わせたものであり、データの変換や格納を行う。
【００３６】
クロック１２９は、手書き入力が行われる時間を計測するための時間計測手段である。ＵＳＢ１３１は、デジタルペン１１により入力された手書き情報を接続した電子機器に転送するためのデータ送信手段である。無線通信システム１３３は、無線通信手段を備えた他の電子機器に対して手書き情報を送信するためのデータ送信手段である。無線通信手段は、ブルートゥース（登録商標）による方式などが用いられるが特に限定されない。ＵＳＢ１３１と無線通信システム１３３は、どちらか一方を備えていればもう一方が備えられていなくても本発明による手書き情報共有システムは動作可能である。
【００３７】
振動子１３５は、振動により情報をユーザーに伝える手段である。ＬＥＤ１３７は、点灯、点滅などにより情報をユーザーに伝える手段である。振動子１３５とＬＥＤ１３７は、どちらか一方を備えていればもう一方が備えられてなくてもユーザーに情報を伝えることが可能である。
【００３８】
デジタルペン１１が手書き情報を記録するためには、アノト用紙１５に手書き入力を行う必要がある。図３は、アノト用紙１５の構成例を示す図である。アノト用紙１５には、一定の間隔の格子２０３の各交点２０５に外周が接するように同一の直径の点２０１が印刷されている。点２０１は、光学モジュール１１５により検出可能であれば、人間の眼により識別不可能な色で印刷されていてもよい。例えば、カメラ１１７が赤外線カメラである場合、用紙１５全体が赤外線を反射し、点２０１が赤外線を吸収するインクで印刷されていることにより点２０１を光学モジュール１１５により検出可能である。
【００３９】
また、格子２０３は実際に見える必要はなく、架空の格子でもよい。格子２０３の間隔は、短いほど解像度の高い画像を得ることができる。本実施例では、光学モジュール１１５の読み取り精度を考えると０．３ｍｍ程度が好ましい。また、この場合、点２０１の直径は８０ミクロンから１２０ミクロンが好ましい。ただし、これらの値は特に限定されない。
【００４０】
点２０１は、格子２０３の交点２０５から上下左右のいずれかの方向にずれた位置に印刷されている。この上下左右の４方向の情報は２ビットの情報とすることができる。つまり点２０１は１つにつき２ビットの情報を持つことになり、６×６の３６個の交点２０５とその上下左右に位置する点２０１は６×６×２＝７２ビットの情報を持つことになる。アノト用紙１５は、６×６の３６個の交点の領域毎に点２０１の上下左右の並びを変え、位置情報として記録している。
【００４１】
デジタルペン１１は毎秒５０回から１００回カメラ１１７によりアノト用紙１５を撮影し、光学モジュール１１５により点２０１の並びを検出し、検出した並びからアノト用紙１５の位置情報を取得する。このようにしてデジタルペン１１は、ユーザーが手書き入力を行った際にアノト用紙１５のどの位置に記入したかを記録することが可能となる。
【００４２】
アノト用紙１５の左上位置にピジェット２１１と呼ばれる領域が設けられている。ユーザーがデジタルペン１１によりピジェット２１１をチェックすると、光学モジュール１１５は、ピジェット２１１の位置情報を取得する。デジタルペン１１は、ピジェット２１１の位置情報を取得するとページの更新を行うようにプログラムされており、手書き情報を画像データに変換する際にピジェット２１１のチェック前の手書き情報と、チェック後の手書き情報は重なることなく別のページの画像データとして扱われる。
【００４３】
また、アノト用紙１５の右下位置にピジェット２１３と呼ばれる領域が設けられている。ユーザーがデジタルペン１１によりピジェット２１３をチェックすると、光学モジュール１１５は、ピジェット２１３の位置情報を取得する。デジタルペン１１は、ピジェット２１３の位置情報を取得するとデータの送信を行うようにプログラムされており、ＵＳＢ１３１または無線通信システム１３３により接続された携帯電話機１３に手書き情報の送信を行う。このようにして、ユーザーはデジタルペン１１によりピジェット２１３の領域をチェックすることによりデジタルペン１１に格納された手書き情報を接続された携帯電話機１３に送信することが可能となる。
【００４４】
この他にもアノト用紙１５は、点２０１の配置により特殊なコードを配列することにより、様々な情報を入れることが可能となる。例えば、色を指定するピジェットを用意し、その領域に色を指定する情報を入れておけば、そのピジェットをチェックした後の手書き情報を指定した色の画像データに変換することも可能である。
【００４５】
続いて、デジタルペン１１とアノト用紙１５を用いて入力された手書き情報を共有する方法について説明する。図４は、本発明の実施の形態１における手書き情報共有システムの具体的構成を示す模式図である。図４に示すインターネット１０、デジタルペン１１、携帯電話機１３、アノト用紙１５、ＰＣ１７、ＰＬＳサーバ２０、ＡＳＨサーバ２２、ウェブサーバ２４は図１に示す内容と同じであり、ここでは説明を省略する。図４に示すようにＰＬＳサーバ２０はデータベース２１を、ＡＳＨサーバ２２は、データベース２３及びペンアプリケーション３０を、ウェブサーバ２４はウェブアプリケーション３２を備える。
【００４６】
図５は、本発明における手書き情報共有システムの処理の流れを示すシーケンス図である。まず、ユーザーはデジタルペン１１を用いてアノト用紙１５に手書き情報を入力する（Ｓ１０１）。入力した手書き情報は、デジタルペン１１の有するメモリ１２５に格納される。デジタルペン１１はＵＳＢ１３１または無線通信システム１３３により接続された携帯電話機１３に手書き情報の送信を行う。携帯電話機１３は、デジタルペン１１からの手書き情報を受信すると、インターネット１０を介してＰＬＳサーバ２０へ受信した手書き情報を送信する（Ｓ１０２）。以後デジタルペン１１とＰＬＳサーバ２０、ＡＳＨサーバ２２間のデータの送受信は携帯電話１３を通じて行う。
【００４７】
ＰＬＳサーバ２０は、データベース２１を備えている。ＰＬＳサーバ２０は、デジタルペン１１から手書き情報を受信すると、手書き情報に含まれる位置情報をデータベース２１と照合する（Ｓ１０３）。ＰＬＳサーバ２０は、照合したデータベースに基づいて、手書き情報の処理を行うペンアプリケーション３０を決定する。
【００４８】
ＰＬＳサーバ２０が手書き情報の処理を行うペンアプリケーション３０を決定すると、ＰＬＳサーバ２０は、そのペンアプリケーション３０が稼動するＡＳＨサーバ２２及びペンアプリケーション３０の位置情報をデジタルペン１１に対して送信する（Ｓ１０４）。この時の位置情報は例えば、ＵＲＬなどが用いられる。
【００４９】
デジタルペン１１は、ＰＬＳサーバ２０からＡＳＨサーバ２２及びペンアプリケーション３０の位置情報を受信すると、受信した位置情報に基づいてＡＳＨサーバ２２に接続を行う。デジタルペン１１は、ＡＳＨサーバ２２との接続を完了すると、受信した位置情報をＡＳＨサーバ２２に対して受信した位置情報を送信する（Ｓ１０５）。ＡＳＨサーバ２２は、デジタルペン１１から受信した位置情報に基づいて格納しているペンアプリケーション３０の起動を行う（Ｓ１０６）。以後、ＡＳＨサーバ２２の動作はペンアプリケーション３０からの命令により行われる。
【００５０】
ＡＳＨサーバ２２は、デジタルペン１１に対してデジタルペン１１が備える識別情報の送信を要求する（Ｓ１０７）。このときの識別情報は、例えば「AJX−AAA−AM4−X6」など数字や記号の列で個々のデジタルペン１１を識別できるものであればよい。デジタルペン１１は、ＡＳＨサーバ２２からの送信要求を受信すると、メモリ１２５に格納されたデジタルペン１１固有の識別情報を送信する（Ｓ１０８）。ＡＳＨサーバ２２は、デジタルペン１１から識別情報を受信すると、受信した識別情報をＡＳＨサーバ２２の備える記憶手段に格納する。以後、ＡＳＨサーバ２２は、デジタルペン１１から受信したデータを識別情報と関連付けて格納する（Ｓ１０９）。こうすることにより、複数のデジタルペンからデータを受信しても識別することが可能となる。
【００５１】
ＡＳＨサーバ２２は、デジタルペン１１から識別情報を受信すると、デジタルペン１１に対して手書き情報の送信を要求する（Ｓ１１０）。デジタルペン１１は、ＡＳＨサーバ２２から送信要求を受信すると、ＡＳＨサーバ２２に対してメモリ１２５に格納された手書き情報を送信する（Ｓ１１１）。ＡＳＨサーバ２２は、デジタルペン１１から手書き情報を受信すると、先ほど受信したデジタルペン１１の識別情報と関連付けて記憶手段に格納する（Ｓ１１２）。このときの格納形式は何でもよいが、ＡＳＨサーバ２２の備えるデータベース２３に格納するのが好ましい。
【００５２】
ＡＳＨサーバ２２が手書き情報を格納するファイルの形式は、後にウェブサーバ２４により公開することを考えると、ＪＰＥＧやＧＩＦなどの画像形式にしておくことが望ましい。また、必要に応じて画像データの拡大縮小を行ってもよいし、また、筆順や方向が重要である場合は、ベクトルデータを時系列に記録したデータ形式にするようにしてもよい。また、画像データに変換後、一般的なウェブブラウザでそのまま閲覧可能なようにＨＴＭＬなどのウェブデータ形式にして格納するようにしてもよい。このようにして、ＡＳＨサーバ２２は、デジタルペン１１により入力された手書き情報を受信し格納する。
【００５３】
次にＡＳＨサーバ２２により格納された手書き情報を閲覧する方法について説明する。図６は、手書き情報閲覧時の手書き情報共有システムの構成を示す模式図である。図４に示すインターネット１０、デジタルペン１１、携帯電話機１３、アノト用紙１５、ＰＣ１７、ＡＳＨサーバ２２、ウェブサーバ２４は図１に示す内容と同じであり、ここでは説明を省略する。手書き情報閲覧時にはＰＬＳサーバ２０は利用されない。まず、ユーザーはＰＣ１７を操作し、手書き情報を取得する指示を入力する。このときの指示は、ＰＣ１７に予めインストールされている閲覧用アプリケーションを起動し、閲覧用アプリケーションに手書き情報を取得する位置情報を入力することにより行われる。このときの閲覧用アプリケーションはウェブブラウザで、入力する位置情報はＵＲＬであることが望ましい。
【００５４】
ＰＣ１７は、手書き情報を取得する指示が入力されると、入力した位置情報に基づいて、インターネット１０を介してウェブサーバ２４にリクエストを送信する。ウェブサーバ２４は、ＰＣ１７からのリクエストを受信すると、ＡＳＨサーバ２２に接続し、ＡＳＨサーバ２２に格納されている手書き情報を取得する。ウェブサーバ２４は、手書き情報を取得すると、ウェブアプリケーション３２により、取得した手書き情報をＰＣ１７から閲覧可能な形式に変換し、ＰＣ１７に対して変換した手書き情報を送信する。このときのファイル形式はＨＴＭＬ等のＰＣ１７が通常備えているウェブブラウザでそのまま閲覧可能なウェブデータ形式であることが望ましい。ただし、手書き情報が既にウェブデータ形式になっている場合はそのままＰＣ１７に送信することが可能である。
【００５５】
ＰＣ１７は、ウェブサーバ２４から手書き情報を受信すると、閲覧用アプリケーションにより受信した手書き情報をＰＣ１７の備える表示手段により表示を行う。このようにしてユーザーはＰＣ１７によりデジタルペン１１が入力した手書き情報を閲覧することが可能となる。
【００５６】
また、ＡＳＨサーバ２２にはタスクアプリケーション３３が備えられており、予め定められた時間にメール送信等の手段でユーザーに手書き情報の閲覧を促す旨の通知を行うようにすることも可能である。
【００５７】
同様の方法により、インターネット１０に接続可能でウェブサーバ２４から送信される情報を閲覧可能なアプリケーションを備えた端末であれば、ＰＣ１７に限らず手書き情報を閲覧することが可能である。このようにして、デジタルペン１１が入力した手書き情報を、インターネット１０を介して複数の端末で共有することが可能となる。
【００５８】
発明の実施の形態２．
発明の実施の形態１における手書き情報の共有をスケジュール情報の共有に利用した例である。発明の実施の形態２における手書き情報共有システムの構成及び手書き情報共有の処理の流れは発明の実施の形態１と同様である。
【００５９】
発明の実施の形態２における手書き入力の方法も発明の実施の形態１と同様にデジタルペン及びアノト用紙を用いるが、スケジュール情報の共有に特化するため、アノト用紙は、図７に示すアノト用紙３０１を用いる。デジタルペンは発明の実施の形態１で使用したデジタルペン１１をそのまま利用可能である。
【００６０】
アノト用紙３０１は、スケジュール記入枠３１０、開始ピジェット３０３、送信ピジェット３０５を有する。アノト用紙３０１にはデジタルペン１１の備える光学モジュールにより識別可能な点が並べられており、デジタルペン１１により位置情報を取得可能であるという点ではアノト用紙１５と同様である。
【００６１】
開始ピジェット３０３及び送信ピジェット３０５の位置情報は、デジタルペン１１により予め記録されている。ユーザーはスケジュール記入開始時にはまず、開始ピジェット３０３をチェックする。デジタルペン１１は、光学モジュール１１５により、開始ピジェット３０３の位置を認識し、認識に応じて手書き情報の記録を開始する。
【００６２】
ユーザーは開始ピジェット３０３をチェック後、スケジュール記入枠３１０にデジタルペン１１を用いて手書きによりスケジュールを記入する。スケジュール記入枠３１０に記入された手書き情報は、デジタルペン１１により記録される。記録の方法については発明の実施の形態１と同様である。
【００６３】
スケジュール記入枠３１０は、図７に示すようにカレンダー形式になっており、ユーザーは日付ごとにスケジュールを手書き入力することが可能である。ユーザーが手書き入力を完了すると、送信ピジェット３０５をチェックする。デジタルペン１１は、送信ピジェット３０５の位置を認識し、認識に応じて手書き情報の記録を終了し、記録した手書き情報を携帯電話機１３に対して送信する。
【００６４】
携帯電話機１３は、デジタルペン１１から手書き情報を受信すると、受信した手書き情報を、インターネット１０を介してＰＬＳサーバ２０に対して送信する。ＰＬＳサーバ２０は、デジタルペン１１から手書き情報を受信すると、手書き情報に含まれる位置情報をデータベース２１と照合する。ＰＬＳサーバ２０は、照合したデータベースに基づいて、手書き情報の処理を行うペンアプリケーション３０を決定する。
【００６５】
ＰＬＳサーバ２０が手書き情報の処理を行うペンアプリケーション３０を決定すると、ＰＬＳサーバ２０は、そのペンアプリケーション３０が稼動するＡＳＨサーバ２２及びペンアプリケーション３０の位置情報をデジタルペン１１に対して送信する。
【００６６】
デジタルペン１１は、ＰＬＳサーバ２０からＡＳＨサーバ２２及びペンアプリケーション３０の位置情報を受信すると、受信した位置情報に基づいてＡＳＨサーバ２２に接続を行う。デジタルペン１１は、ＡＳＨサーバ２２との接続を完了すると、受信した位置情報をＡＳＨサーバ２２に対して受信した位置情報を送信する。ＡＳＨサーバ２２は、デジタルペン１１から受信した位置情報に基づいて格納しているペンアプリケーション３０の起動を行う。以後、ＡＳＨサーバ２２の動作はペンアプリケーション３０からの命令により行われる。
【００６７】
ＡＳＨサーバ２２は、デジタルペン１１に対してデジタルペン１１が備える識別情報の送信を要求する。デジタルペン１１は、ＡＳＨサーバ２２からの送信要求を受信すると、メモリ１２５に格納されたデジタルペン１１固有の識別情報を送信する。ＡＳＨサーバ２２は、デジタルペン１１から識別情報を受信すると、受信した識別情報をＡＳＨサーバ２２の備える記憶手段に格納する。以後、ＡＳＨサーバ２２は、デジタルペン１１から受信したデータを識別情報と関連付けて格納する。こうすることにより、複数のデジタルペンからデータを受信しても識別することが可能となる。
【００６８】
ＡＳＨサーバ２２は、デジタルペン１１から識別情報を受信すると、デジタルペン１１に対して手書き情報の送信を要求する。デジタルペン１１は、ＡＳＨサーバ２２から送信要求を受信すると、ＡＳＨサーバ２２に対してメモリ１２５に格納された手書き情報を送信する。ＡＳＨサーバ２２は、デジタルペン１１から手書き情報を受信すると、先ほど受信したデジタルペン１１の識別情報と関連付けて記憶手段に格納する。このときの格納形式は何でもよいが、ＡＳＨサーバ２２の備えるデータベース２３に格納するのが好ましい。
【００６９】
ＡＳＨサーバ２２が受信する手書き情報は、スケジュール記入枠３１０に記入されたスケジュールデータである。ＡＳＨサーバ２２によるスケジュールデータの格納方法について具体的に説明する。まず、ＡＳＨサーバ２２は、スケジュール記入枠３１０内に手書き入力が行われたか否かの判定を行う。何も入力が行われていなかった場合は、格納する情報はないということなので、そこでＡＳＨサーバ２２による格納の処理は終了となる。
【００７０】
手書き入力が行われていた場合、ＡＳＨサーバ２２は、手書き情報から手書き情報が何月のスケジュールとして入力されたかを識別する。識別の方法は次のようにして行われる。
【００７１】
アノト用紙３０１は、月毎に用意され、スケジュール記入枠３１０に印刷されている点のパターンは月毎に異なるため、デジタルペン１１により入力された手書き情報は、ＡＳＨサーバ２２に送信された後、アノト用紙３０１に印刷されている点のパターンにより何月のスケジュールが入力されたかを識別することが可能となる。
【００７２】
ＡＳＨサーバ２２は、手書き情報が何月のスケジュールとして入力されたかを識別すると、該当した月の手書き情報がすでに格納されているか否かの判定を行う。格納されていないと判定した場合、ＡＳＨサーバ２２は、手書き情報を新しいファイルとして記憶手段に格納する。
【００７３】
すでに格納されていると判定した場合、ＡＳＨサーバ２２は格納されている手書き情報のファイルを読み出し、入力された手書き情報を上書きして格納する。このとき、すでに格納されている手書き情報を削除して、新たに入力された手書き情報のみを格納するようにしてもよいし、すでに格納されている手書き情報と新たに入力された手書き情報を合成して格納するようにしてもよい。
【００７４】
手書き情報の格納方法について具体的に説明する。アノト用紙３０１は、月毎に用意されており、それぞれのスケジュール記入枠３１０に印刷されている点のパターンも月毎に異なっている。また、スケジュール記入枠３１０には、日毎の記入枠がそれぞれ用意されている。この日毎の記入枠に印刷されている点のパターンもそれぞれ異なっており、それぞれがエリア情報としてまとめてファイルに格納されている。このファイルをＰＡＤ（Paper Application Definition）ファイルと呼ぶ。デジタルペン１１により入力された手書き情報は当該手書き情報に備えられた点のパターンをＰＡＤファイルと比較することにより何月何日のスケジュールとして入力された手書き情報であるかを識別することが可能となる。
【００７５】
ＰＡＤファイルには月毎のエリア情報と日毎のエリア情報が格納されている。日毎のエリア情報は、当該エリアに印刷されている点のパターンの集合である。この日毎のエリア情報は、例えば「day_1」「day_2」などの名前で格納される。また、月毎のエリア情報は、日毎のエリア情報の集合である。必要に応じて、それ以外のエリア情報を追加してもよい。この月毎のエリア情報は、例えば「month_1」「month_2」などの名前で格納される。ＰＡＤファイルはこれらのエリア情報を格納する。ファイルは月毎に格納してもよいし、日毎に格納してもよい。ＰＡＤファイルはＰＬＳサーバ２０またはＡＳＨサーバ２２の記憶手段に格納される。
【００７６】
ＡＳＨサーバ２２は、手書き情報を入力すると、ＰＡＤファイルを利用して、当該手書き情報を日付毎のエリアに分割し、日付毎に各日付のエリアに手書き入力が行われたか否かを判定する。手書き入力が行われたと判定された場合、ＡＳＨサーバ２２は、手書き情報を日付のエリア毎に画像データに変換する。変換した画像データは、当該日付のスケジュール情報として記憶手段に格納される。
【００７７】
ＡＳＨサーバ２２は、全ての日付の手書き情報を画像データに変換すると、スケジュール登録完了の旨をメールにて送信する。この時のメールの送信先は予めユーザーがＡＳＨサーバ２２に登録しておく。メールには、登録したスケジュール情報を閲覧可能なＵＲＬを記入しておく。こうすることにより、メール受信者は、メールに記入されたＵＲＬにアクセスして登録したスケジュール情報を閲覧することが可能となる。
【００７８】
また、ＡＳＨサーバ２２は、スケジュール登録完了後だけでなく、予め定められた時間にＵＲＬを記入したメールを送信するリマインダ機能を備えるようにしてもよい。こうすることにより、定期的にスケジュールの連絡を行うことが可能となる。
【００７９】
図８は、メールの内容の一例を示す図である。図８に示す受信メール４０１は、受信者のメールアドレス、送信者のメールアドレス、メールのサブジェクト、メール本文が記録されている。受信メール４０１は、例えば携帯電話機で受信したメールが画面上表示された場合の表示内容の一例であり、メールを受信する端末やメール受信アプリケーションによってはこれと異なる画面が表示される場合がある。
【００８０】
受信メール４０１のメール本文には、ＵＲＬが表示されている。受信メール４０１の例では、「http://www.ashsystem.com/Schedule/web/index.asp」がＵＲＬである。このＵＲＬはウェブサーバ２４にアクセスするための位置情報が記述されている。ユーザーはメールを受信すると受信メール４０１に記載されているＵＲＬにブラウザアプリケーションなどを起動してアクセスすることにより、ウェブサーバ２４に接続し、ＡＳＨサーバ２２が格納したスケジュール情報を閲覧することが可能となる。
【００８１】
また、メールの内容を図８に示す受信メール４０２のようにしてもよい。受信メール４０２が受信メール４０１と異なる点は、ＵＲＬにデジタルペン１１の識別情報が入っている点である。受信メール４０２の例では、「?id=AJX-AAA-AM4-X6」をＵＲＬに加えることにより、ウェブサーバ２４にペンの識別情報を送信している。このようにメールで通知するＵＲＬにデジタルペン１１の識別情報を加えることにより、ユーザーは別途デジタルペン１１の識別情報を入力することなく、他のデジタルペンで入力した手書き情報と識別することが可能となる。ただし、このとき、パスワードを設定し入力させることにより、悪意ある第三者が不正に手書き情報を閲覧することを防止することも可能である。
【００８２】
また、ＡＳＨサーバ２２は、デジタルペン１１に対してスケジュール登録完了の旨をデジタルペン１１に対して通知するようにしてもよい。この場合、ＡＳＨサーバ２２は、完了通知信号を、インターネット１０を介して携帯電話機１３に対して送信する。携帯電話機１３は完了通知信号を受信すると、デジタルペン１１に対して受信した完了通知信号を送信する。デジタルペン１１は、完了通知信号を受信すると、振動子１３５あるいはＬＥＤ１３７によりユーザーに完了の通知を行う。
【００８３】
スケジュール情報の閲覧は、受信メールを利用しなくても、ユーザーの必要に応じて行うことも可能である。図９は、ＰＣ１７からウェブブラウザを利用してウェブサーバ２４にアクセスしたときに表示される画面の一例を示す図である。この画面では、ペン識別情報入力欄５０１、ユーザー名入力欄５０２、日付入力欄５０３、月別表示ボタン５０４、日別表示ボタン５０５が画面に表示されている。ユーザーはＰＣ１７に備えられたキーボード等の入力手段により、各種情報の入力を行う。
【００８４】
まず、ユーザーはスケジュール情報を閲覧するために、ペン識別情報入力欄５０１にペンの識別情報を、ユーザー名入力欄５０２にユーザー名を入力する。その後、日付入力欄５０３に閲覧したいスケジュール情報の日付を入力する。このとき、月別情報を表示したい場合は、年及び月のみの入力でもよく、日別情報を表示したい場合は、年、月、日全てを入力する必要がある。
【００８５】
ペン識別情報入力欄５０１、ユーザー名入力欄５０２、日付入力欄５０３の全ての入力が完了すると、ユーザーは月別表示ボタン５０４か日別表示ボタン５０５のいずれか一方のボタンをＰＣ１７に備えられたマウス等の入力手段により選択する。選択が完了すると、ＰＣ１７は、ウェブサーバ２４に対して、入力されたペンの識別情報、ユーザー名情報、日付情報、月別情報か日別情報のどちらを表示するかの情報を送信する。
【００８６】
ウェブサーバ２４は、ＰＣ１７から入力されたペンの識別情報、ユーザー名情報、日付情報、月別情報か日別情報のどちらを表示するかの情報を受信すると、ペンの識別情報及びユーザー名情報が予め登録されたものであるか否かの認証を行う。スケジュール情報の内容によっては、認証の結果登録されていないユーザー名やペンであると判定した場合スケジュール情報の表示を行わないようにすることも可能である。
【００８７】
認証が完了すると、ウェブサーバ２４は、ＡＳＨサーバ２２から日付情報に該当する日付のスケジュール情報を受信し、ＰＣ１７に対してウェブブラウザ表示用のデータを送信する。このときの表示内容は、月別情報か日別情報により異なるものとなる。
【００８８】
図１０は、月別情報を表示した場合のＰＣ１７に表示される画面の一例である。このときの表示内容は、アノト用紙３０１のスケジュール記入枠３１０に入力したものと同じ内容が画面上のスケジュール枠６０１表示される。このとき、ＡＳＨサーバ２２には、手書き入力により生成されたスケジュール情報が日付毎に格納されており、ウェブサーバ２４は、スケジュール枠の画像情報に生成された日付毎のスケジュール情報を上書きすることにより、図１０のような画面情報を生成し、ＰＣ１７に対して送信している。
【００８９】
さらに画面には先月表示ボタン６０２及び次月表示ボタン６０３が表示されており、ユーザーはそれぞれのボタンを選択することにより、先月あるいは次月のスケジュール表示に切り替えることが可能である。
【００９０】
また、ＰＣ１７がＰＣではなく携帯電話機などの表示領域の小さな端末である場合や、特定の日のみを拡大して表示したい場合などに、日別表示ボタン５０５を選択することにより日付のスケジュール情報のみを表示するようにすることも可能である。図１１は、携帯電話機に日付のスケジュール情報のみを表示した場合の画面の一例である。この例では、当該日のスケジュール情報のみが表示領域７０３に表示されている。このとき、ＡＳＨサーバ２２には、手書き入力により生成されたスケジュール情報が日付毎に格納されており、ウェブサーバ２４は、当該日のスケジュール情報を、ＰＣ１７または携帯電話機１３に対して送信する。
【００９１】
また、画面には前日表示ボタン７０１及び翌日表示ボタン７０２が表示されており、ユーザーはそれぞれのボタンを選択することにより、前日あるいは翌日のスケジュール表示に切り替えることが可能である。
【００９２】
また、ユーザー情報とスケジュール情報を関連付けて格納している場合、ユーザー毎のスケジュール情報を一覧できるような形式でＰＣ１７の画面上に表示することによりスケジュール管理を行うことも可能である。図１２は、スケジュール管理を行う場合に、ＰＣ１７からウェブブラウザを利用してウェブサーバ２４にアクセスしたときに表示される画面の一例を示す図である。このときの画面にはグループ入力欄８０１、日付入力欄８０２、週間予定表示ボタン８０３が表示されている。
【００９３】
グループ入力欄８０１は、図１２に示す「全員」「グループ１」「グループ２」・・・などの定義されたグループから選択するようにしてもよい。それぞれのグループに対してどの人物のスケジュールを表示するかは予めウェブサーバ２４に登録されている。ユーザーはグループ入力欄８０１に表示したいグループを入力する。また、日付入力欄８０２に表示したい日付を入力する。それぞれの入力が完了すると、ユーザーは週間予定表示ボタン８０３を選択する。
【００９４】
選択が完了するとＰＣ１７は、ウェブサーバ２４に対して、入力したグループ情報及び日付情報を送信する。ウェブサーバ２４は、グループ情報及び日付情報を受信すると、受信したグループ情報に該当するグループの人物の、受信した日付情報に該当する週のスケジュール情報をＡＳＨサーバ２２から受信し、ＰＣ１７に対してウェブブラウザ表示用のデータを送信する。
【００９５】
図１３は、ＰＣ１７に表示されたスケジュール情報の例を示す図である。図１３では、グループ入力欄８０１に入力したグループに所属する人物の週間スケジュールが表示されている。この画面では、先週表示ボタン９０１及び次週表示ボタン９０２が表示されており、ユーザーはこれらのボタンを選択することにより週を切り替えてスケジュール情報の表示を行うことが可能となる。
【００９６】
このようにして、本発明における情報共有システムは、デジタルペン１１により入力した手書き情報をＡＳＨサーバ２２に保存し、ＰＣ１７からインターネット１０を介してウェブサーバ２４に接続することにより、ＡＳＨサーバ２２に保存された手書き情報をスケジュール情報として共有することが可能となる。
【００９７】
その他の発明の実施の形態．
上述の例では、サーバを３台としたが、それぞれの機能を備えてさえいれば、これを１台か２台にまとめてもよいし、また４台以上のサーバに分割して行うようにしてもよい。
【図面の簡単な説明】
【００９８】
【図１】本発明にかかる手書き情報共有システムの全体構成を示す模式図である。
【図２】本発明にかかる手書き情報共有システムのデジタルペンの構成を示す図である。
【図３】本発明にかかる手書き情報共有システムの用紙の一例を示す図である。
【図４】本発明にかかる手書き情報共有システムの具体的構成を示す模式図である。
【図５】本発明にかかる手書き情報共有システムの処理の流れを示すシーケンス図である。
【図６】本発明にかかる手書き情報共有システムの具体的構成を示す模式図である。
【図７】本発明にかかる手書き情報共有システムの用紙の一例を示す図である。
【図８】本発明にかかる手書き情報共有システムの受信メールの表示画面の一例を示す図である。
【図９】本発明にかかる手書き情報共有システムにアクセスした端末の表示画面の一例を示す図である。
【図１０】本発明にかかる手書き情報共有システムにアクセスした端末の表示画面の一例を示す図である。
【図１１】本発明にかかる手書き情報共有システムにアクセスした端末の表示画面の一例を示す図である。
【図１２】本発明にかかる手書き情報共有システムにアクセスした端末の表示画面の一例を示す図である。
【図１３】本発明にかかる手書き情報共有システムにアクセスした端末の表示画面の一例を示す図である。
【符号の説明】
【００９９】
１０    インターネット
１１    デジタルペン
１３    携帯電話機
１５    アノト用紙
２０    ＰＬＳサーバ
２１    データベース
２２    ＡＳＨサーバ
２３    データベース
２４    ウェブサーバ
３０    ペンアプリケーション
３２    ウェブアプリケーション
３３    タスクアプリケーション
１１１    インクリフィル
１１３    圧力センサ
１１５    光学モジュール
１１７    カメラ
１１９    光照射装置
１２１    バッテリ
１２３    ＣＰＵ
１２５    メモリ
１２７    情報処理モジュール
１２９    クロック
１３１    ＵＳＢ
１３３    無線通信システム
１３５    振動子
１３７    ＬＥＤ
２０１    点
２０３    格子
２０５    交点
２１１    ピジェット
２１３    ピジェット
３０１    アノト用紙
３０３    開始ピジェット
３０５    送信ピジェット
３１０    スケジュール記入枠
４０１    受信メール
４０２    受信メール
５０１    ペン識別情報入力欄
５０２    ユーザー名入力欄
５０３    日付入力欄
５０４    月別表示ボタン
５０５    日別表示ボタン
６０１    スケジュール枠
６０２    先月表示ボタン
６０３    次月表示ボタン
７０１    前日表示ボタン
７０２    翌日表示ボタン
７０３    表示領域
８０１    グループ入力欄
８０２    日付入力欄
８０３    週間予定表示ボタン
９０１    先週表示ボタン
９０２    次週表示ボタン
【図１】
2006260426.tif 000003
【図２】
2006260426.tif 000004
【図３】
2006260426.tif 000005
【図４】
2006260426.tif 000006
【図５】
2006260426.tif 000007
【図６】
2006260426.tif 000008
【図７】
2006260426.tif 000009
【図８】
2006260426.tif 000010
【図９】
2006260426.tif 000011
【図１０】
2006260426.tif 000012
【図１１】
2006260426.tif 000013
【図１２】
2006260426.tif 000014
【図１３】
2006260426.tif 000015